(57)【要約】【課題】本発明の課題は、各光心線単独での作業が行えるとともに、光心線接続部スリーブを円盤体外周の凹部の任意の位置に固定できる光心線収容部品を提供することにある。【解決手段】本発明は、光心線を収容するための光心線収容部品であって、光心線が巻き付けられるように且つ光心線接続部スリーブが固定できるように外周部に凹状に窪んだ凹部２２が設けられた円盤体２１と、円盤体２１を収容するための収容容器３１とからなり、円盤体２１の側面部に設けられ、凹部２２に両端が連通された略Ｓ字状の溝部２３を有することを特徴とするものである。【選択図】図２
2006106277.tif 000002
【特許請求の範囲】
【請求項１】
光心線を収容するための光心線収容部品であって、
光心線が巻き付けられるように且つ光心線接続部スリーブが固定できるように外周部に凹状に窪んだ凹部が設けられた円盤体と、前記円盤体を収容するための収容容器とからなり、
前記円盤体の側面部に設けられ、前記凹部に両端が連通された略Ｓ字状の溝部を有することを特徴とする光心線収容部品。
【請求項２】
光心線を収容するための光心線収容部品であって、
光心線が巻き付けられるように且つ光心線接続部スリーブが固定できるように外周部に凹状に窪んだ凹部が設けられた円盤体と、前記円盤体を収容するための収容容器とからなり、
前記収容容器内に設けられた前記円盤体を固定するための突起部と、
前記円盤体の側面部に設けられ、前記凹部に両端が連通された略Ｓ字状の溝部と、
前記円盤体の側面部に設けられ、前記収容容器の突起部に挿入固定される固定用穴と
を具備することを特徴とする光心線収容部品。
【請求項３】
光心線を収容するための光心線収容部品であって、
光心線が巻き付けられるように且つ光心線接続部スリーブが固定できるように外周部に凹状に窪んだ凹部が設けられた円盤体と、前記円盤体を複数個収容するための収容容器とからなり、
前記各円盤体の側面部に設けられ、前記凹部に両端が連通された略Ｓ字状の溝部を有することを特徴とする光心線収容部品。
【請求項４】
光心線を収容するための光心線収容部品であって、
光心線が巻き付けられるように且つ光心線接続部スリーブが固定できるように外周部に凹状に窪んだ凹部が設けられた円盤体と、前記円盤体を複数個収容するための収容容器とからなり、
前記収容容器内に設けられた前記各円盤体を固定するための突起部と、
前記各円盤体の側面部に設けられ、前記凹部に両端が連通された略Ｓ字状の溝部と、
前記各円盤体の側面部に設けられ、前記収容容器の突起部に挿入固定される固定用穴と
を具備することを特徴とする光心線収容部品。
【請求項５】
円盤体の溝部の曲率半径が光心線の最小曲げ半径以上であることを特徴とする請求項１乃至４のいずれかに記載の光心線収容部品。
【請求項６】
円盤体の固定用穴が複数個設けられることを特徴とする請求項２又は４に記載の光心線収容部品。
【請求項７】
光心線が巻き付けられるように且つ光心線接続部スリーブが固定できるように外周部に凹状に窪んで設けられた凹部と、
前記凹部に両端が連通されて側面部に設けられた略Ｓ字状の溝部と
を具備することを特徴とする円盤体。
【請求項８】
光心線が巻き付けられるように且つ光心線接続部スリーブが固定できるように外周部に凹状に窪んで設けられた凹部と、
前記凹部に両端が連通されて側面部に設けられた略Ｓ字状の溝部と、
側面部に設けられ、収容容器の突起部に挿入固定される固定用穴と
を具備することを特徴とする円盤体。
【請求項９】
円盤体の溝部の曲率半径が光心線の最小曲げ半径以上であることを特徴とする請求項７又は８に記載の円盤体。
【請求項１０】
円盤体の固定用穴が複数個設けられることを特徴とする請求項８に記載の円盤体。
【発明の詳細な説明】
【技術分野】
【０００１】
本発明は、主に光ネットワークを構築するための光配線工事に使用される光心線を収容するための光心線収容部品及び円盤体に関するものである。
【背景技術】
【０００２】
図７は従来の光心線収容部品を示す構成説明図である。すなわち、光心線収容トレイ１１の内部中央部には光心線の最小曲げ半径を確保するための内周円弧状ガイド１２が設けられ、前記内周円弧状ガイド１２の外側には所定間隔をおいて外周円弧状ガイド１３が設けられる。前記内周円弧状ガイド１２と外周円弧状ガイド１３の間には表面から所定の高さに光心線飛び出し防止ガイド１４が設けられる。前記光心線収容トレイ１１の内部には心線接続部保持部１５及び光ケーブル保持部１６が設けられる。
【０００３】
光ケーブル保持部１６に保持された光ケーブル１７に接続された光心線１８に余長がある場合、光心線１８の収容は手作業で行われている。手で余分の光心線１８を内周円弧状ガイド１２と外周円弧状ガイド１３の間に円を描きながら巻回し、光心線１８が飛び出さないように光心線飛び出し防止ガイド１４の下に押し込む。また、光心線１８を取り出す場合も、同じく煩雑な手作業で行う。
【特許文献１】特開平７−２１８７３２号公報
【発明の開示】
【発明が解決しようとする課題】
【０００４】
従来の光心線収容部品の構造では、光心線の収容も取り出しも、煩雑な手作業で行っているので、作業効率が悪い上、作業ミスも起こりやすい。また、大きな光キャビネットでは、光心線が多数あるため、作業がますます難しくなる。
【０００５】
すなわち、従来の光心線収容部品では、２心以上の光心線を収容するとき、光心線が絡まったり、引っかかったりする可能性があり、作業効率が良くない。また、２心以上の光心線を収容した状態で、１心だけの光心線を取り出そうとしても他の光心線が邪魔になり、収容光心線を一旦全部取り出す方法しかない。
【０００６】
また、心線接続部保持部１５は収容トレイの円周部に２箇所しか設けられていないので、光心線の融着等の成端時、光心線の余長の長さに注意しないと（光心線の余長がちょうど収容トレイの半円周長の整数倍にならないと）、光心線の余長部分にあそび部が生じて収容トレイにきれいに収容できない場合がある。
【０００７】
本発明は上記の事情に鑑みてなされたもので、特に複数の光心線の収容、取り出しを行う場合、互いの光心線が絡むことがないので各光心線単独での作業が行えるとともに、光心線接続部スリーブを円盤体外周の凹部の任意の位置に固定できるため、収容容器内部で光心線余長のあそび部を生じさせない光心線収容部品及び円盤体を提供することを目的とする。
【課題を解決するための手段】
【０００８】
上記目的を達成するために本発明は、光心線を収容するための光心線収容部品であって、光心線が巻き付けられるように且つ光心線接続部スリーブが固定できるように外周部に凹状に窪んだ凹部が設けられた円盤体と、前記円盤体を収容するための収容容器とからなり、前記円盤体の側面部に設けられ、前記凹部に両端が連通された略Ｓ字状の溝部を有することを特徴とするものである。
【０００９】
また本発明は、光心線を収容するための光心線収容部品であって、光心線が巻き付けられるように且つ光心線接続部スリーブが固定できるように外周部に凹状に窪んだ凹部が設けられた円盤体と、前記円盤体を収容するための収容容器とからなり、前記収容容器内に設けられた前記円盤体を固定するための突起部と、前記円盤体の側面部に設けられ、前記凹部に両端が連通された略Ｓ字状の溝部と、前記円盤体の側面部に設けられ、前記収容容器の突起部に挿入固定される固定用穴とを具備することを特徴とするものである。
【００１０】
また本発明は、光心線を収容するための光心線収容部品であって、光心線が巻き付けられるように且つ光心線接続部スリーブが固定できるように外周部に凹状に窪んだ凹部が設けられた円盤体と、前記円盤体を複数個収容するための収容容器とからなり、前記各円盤体の側面部に設けられ、前記凹部に両端が連通された略Ｓ字状の溝部を有することを特徴とするものである。
【００１１】
また本発明は、光心線を収容するための光心線収容部品であって、光心線が巻き付けられるように且つ光心線接続部スリーブが固定できるように外周部に凹状に窪んだ凹部が設けられた円盤体と、前記円盤体を複数個収容するための収容容器とからなり、前記収容容器内に設けられた前記各円盤体を固定するための突起部と、前記各円盤体の側面部に設けられ、前記凹部に両端が連通された略Ｓ字状の溝部と、前記各円盤体の側面部に設けられ、前記収容容器の突起部に挿入固定される固定用穴とを具備することを特徴とするものである。
【００１２】
また本発明は、前記光心線収容部品において、円盤体の溝部の曲率半径が光心線の最小曲げ半径以上であることを特徴とするものである。
【００１３】
また本発明は、前記光心線収容部品において、円盤体の固定用穴が複数個設けられることを特徴とするものである。
【００１４】
また本発明の円盤体は、光心線が巻き付けられるように且つ光心線接続部スリーブが固定できるように外周部に凹状に窪んで設けられた凹部と、前記凹部に両端が連通されて側面部に設けられた略Ｓ字状の溝部とを具備することを特徴とするものである。
【００１５】
また本発明の円盤体は、光心線が巻き付けられるように且つ光心線接続部スリーブが固定できるように外周部に凹状に窪んで設けられた凹部と、前記凹部に両端が連通されて側面部に設けられた略Ｓ字状の溝部と、側面部に設けられ、収容容器の突起部に挿入固定される固定用穴とを具備することを特徴とするものである。
【００１６】
また本発明は、前記円盤体の溝部の曲率半径が光心線の最小曲げ半径以上であることを特徴とするものである。
【００１７】
また本発明は、前記円盤体の固定用穴が複数個設けられることを特徴とするものである。
【発明の効果】
【００１８】
本発明の光心線収容部品及び円盤体は、特に複数の光心線の収容、取り出しを行う場合、互いの光心線が絡むことがないので各光心線単独での作業が行えるとともに、光心線接続部スリーブを円盤体外周の凹部の所定の位置に固定できるため、収容容器内部で光心線余長のあそび部を生じさせない、という顕著な効果を奏する。
【発明を実施するための最良の形態】
【００１９】
以下図面を参照して本発明の実施の形態例を詳細に説明する。
図１（ａ），（ｂ）は本発明の実施形態例に係る円盤体を示す正面図および側面図である。すなわち、円盤体２１の外周部には凹部２２が光心線が巻き付けられるように且つ光心線接続部スリーブが固定できるようにに凹状に窪んで設けられる。前記凹部２２の両壁は光心線が巻き付けられる時にガイドになる。前記円盤体２１の側面部には略Ｓ字状の溝部２３が前記凹部２２に両端が連通されて設けられる。前記円盤体２１の側面部には２個の固定用穴２４が収容容器の突起部に挿入固定できるようにして設けられる。前記溝部２３の曲率半径Ｒは光心線の最小曲げ半径以上になるように設定される。
【００２０】
図２は本発明の実施形態例に係る光心線収容部品を示す構成説明図である。図２において、収容容器３１には前記円盤体２１が収容され、前記収容容器３１内に設けられた前記円盤体２１を固定するための２個の突起部３２が円盤体２１の２個の固定用穴２４にそれぞれ対応して挿入固定される。
【００２１】
すなわち、光心線３３は円盤体２１の略Ｓ字状の溝部２３の入口部３４から挿入されて後、溝部２３の出口３５から円盤体２１の外周凹部２２に溝部２３の曲率半径Ｒに沿って光心線３３の最小曲げ半径以上になるようにして巻き付けられる。この場合、光心線３３は溝部２３の出口３５で折り返され、溝部２３の入口３４において、溝部２３の出口３５で折り返された光心線３３と溝部２３の入口部３４から入ってくる光心線３３が同一方向になる。この状態で、円盤体２１の固定用穴２４を収容容器３１の突起部３２から外して、円盤体２１を矢印Ａ方向に回転して光心線３３を円盤体２１の外周凹部２２に巻き付けて収容する。その後、円盤体２１の固定用穴２４を収容容器３１の突起部３２に挿入固定する。また、光心線３３を取り出す際には、円盤体２１の固定用穴２４を収容容器３１の突起部３２から外して矢印Ａ方向と逆方向に回転させれば、巻き付いた光心線３３がほどけてくるので、簡単に、光心線３３の取り出しを行うことができる。これにより、光心線収容作業を簡易化することができ、大幅に作業効率を向上させることができる。
【００２２】
図３（ａ）は本発明の実施形態例に係る光心線収容部品の使用例を示す正面図、図３（ｂ）は図３（ａ）の円盤体を示す側面図である。図３（ａ），（ｂ）において、収容容器４１には円盤体２１が収容され、前記収容容器４１内に設けられた前記円盤体２１を固定するための２個の突起部４２が円盤体２１の２個の固定用穴２４にそれぞれ対応して挿入固定される。また前記収容容器４１内には光ケーブル取付部４３が設けられる。
【００２３】
すなわち、収容容器４１の光ケーブル取付部４３に取り付けられた光ケーブル４４に接続された光心線４５は円盤体２１の略Ｓ字状の溝部２３及び外周凹部２２に巻き付けられて収容される。前記円盤体２１の外周部に凹状に窪んで設けられた凹部２２には光心線４５を接続した例えば融着スリーブ等の光心線接続部スリーブ４６が嵌合固定される。この場合、凹部２２の両壁のガイド部で光心線接続部スリーブ４６を挟み込むように固定することにより、収容容器４１内に光心線接続部スリーブ４６を固定するためのスペースが必要なくなり、収容容器４１の小型化が可能になる。
【００２４】
図４は本発明の実施形態例に係る光心線収容部品の使用例を示す構成説明図である。すなわち、２心以上の光心線４５を多条収容する場合には、２心の光心線４５をそれぞれ対応した２個の円盤体２１に収容するようにし、１個の収容容器４１に複数個の円盤体２１を収容する。このように、光心線４５を１条ずつ２個の円盤体２１に収容するため、光心線４５を簡単に収容することができ、特に煩雑になるようなことはない。また光心線４５を取り出す際も円盤体２１ごとにはずせば簡単に１条ずつ取り出すことができるので、作業効率が飛躍的に向上する。
【００２５】
図５は本発明の実施形態例に係る光心線収容部品の使用例を示す構成説明図である。すなわち、円盤体２１の外周部に凹状に窪んで設けられた凹部２２には光心線４５を接続した例えば融着スリーブ等の光心線接続部スリーブ４６が嵌合固定される。このように、円盤体２１の外周部上であれば、どこでも光心線接続部スリーブ４６を嵌め込んで固定することができるので、光心線４５の余長を気にする必要はない。光心線接続部スリーブ４６の固定位置が自由になることで、高い自由度で光心線４５の収容を行うことができ、収容作業が容易になる。
【００２６】
図６（ａ）〜（ｆ）は本発明の実施形態例に係る光心線収容部品の使用例を示す構成説明図である。すなわち、図６（ａ）に示すように、収容容器４１内には円盤体を固定するための２個の突起部４２が設けられると共に光ケーブル取付部４３が設けられる。その後、図６（ｂ）に示すように、収容容器の２個の突起部には円盤体２１の２個の固定用穴２４がそれぞれ対応して挿入固定され、光ケーブル取付部４３には光ケーブル４４が取り付けられる。また、図６（ｃ）に示すように、円盤体２１の２個の固定用穴２４を収容容器４１の２個の突起部４２から外し、円盤体２１を矢印Ａ方向へ９０度回転し、さらに図６（ｄ）に示すように、円盤体２１を矢印Ａ方向へ９０度回転し、図６（ｅ）に示すような状態にしてから円盤体２１の２個の固定用穴２４に収容容器４１の２個の突起部４２を挿入固定する。このように円盤体２１を回転することにより、円盤体２１の外周凹部２２に光心線４５を巻き付けて収容することができる。
【００２７】
尚、図６（ｆ）に示すように、円盤体２１に、縦方向に２個、および横方向に２個の４個の固定用穴２４を設けることにより、円盤体２１を９０度回転した状態で収容容器４１に固定することができる。このように、回転の刻みを細かくすることにより、円盤体の収容の自由度を高めることができる。
【００２８】
以上のように、本発明の実施形態例に係る光心線収容部品は、光キャビネット（光成端箱）、ＯＮＵ（Ｏｐｔｉｃａｌ  Ｎｅｔｗｏｒｋ  Ｕｎｉｔ：光ネットワーク利用者終端装置）、光アウトレット等の光心線接続点が収容される容器の中に、光心線を収容する際に、有効な配線部品である。
【００２９】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００３０】
【図１】本発明の実施形態例に係る円盤体を示す正面図および側面図である。
【図２】本発明の実施形態例に係る光心線収容部品を示す構成説明図である。
【図３】（ａ）は本発明の実施形態例に係る光心線収容部品の使用例を示す正面図、（ｂ）は（ａ）の円盤体を示す側面図である。
【図４】本発明の実施形態例に係る光心線収容部品の使用例を示す構成説明図である。
【図５】本発明の実施形態例に係る光心線収容部品の使用例を示す構成説明図である。
【図６】本発明の実施形態例に係る光心線収容部品の使用例を示す構成説明図である。
【図７】従来の光心線収容部品を示す構成説明図である。
【符号の説明】
【００３１】
２１…円盤体、２２…凹部、２３…溝部、２４…固定用穴、３１…収容容器、３２…突起部。
【図１】
2006106277.tif 000003
【図２】
2006106277.tif 000004
【図３】
2006106277.tif 000005
【図４】
2006106277.tif 000006
【図５】
2006106277.tif 000007
【図６】
2006106277.tif 000008
【図７】
2006106277.tif 000009